(57)【要約】  好ましくはチャイルドレジスタント型の高齢者に優しいクロージャを提供するための容器装置の実施形態が提供される。一般に、実施形態は容器を含み、それぞれ少なくとも１つの製品を収容するように構成された内部製品空間を有する。一般に、容器装置の実施形態は、閉位置と開位置との間で移動するようにそれぞれ構成される。容器装置の内容物にアクセスするべきでない人のアクセスを防止するのに役立つ、開示される概念に従う様々な機構が記載される。
2021502312.tif 000002
【特許請求の範囲】
【請求項１】
ベースと、前記ベースから延びる側壁と、部材とを有する本体であって、少なくとも１つの製品を収容するように構成された製品空間を備える内部を画定し、前記内部に通じる開口部をさらに有し、前記部材は前記ベースの反対側に配置され、且つ前記内部から離れる方に前記側壁から延びている、本体と、
ヒンジを介して前記側壁に取り付けられるように構成された蓋であって、前記開口部を覆うように構成されたカバー部分と、前記カバー部分から外向きに延びる突起と、前記カバー部分に接続された構成要素とを備え、前記カバー部分が前記開口部を覆うことに対応する第１の位置と、前記カバー部分が前記開口部を覆わない第２の位置との間で移動するように構成された蓋とを備え、
前記蓋が前記第１の位置にあるとき、前記突起は前記蓋を前記第１の位置に維持するために前記部材と係合し、
前記蓋が前記第１の位置から前記第２の位置に移動するとき、前記構成要素は前記突起を前記部材から分離するために前記部材と係合するように移動する、
容器装置。
【請求項２】
前記蓋が、前記構成要素を前記カバー部分に接続するためのヒンジ、任意選択的にリビングヒンジをさらに備える、請求項１に記載の容器装置。
【請求項３】
前記容器装置が単一材料片から作られた一体要素である、請求項１又は２に記載の容器装置。
【請求項４】
前記本体が前記側壁及び前記部材から延びる溝領域を有し、前記蓋が前記第１の位置にあるとき、前記突起は前記溝領域内に延びる、請求項１〜３のいずれか一項に記載の容器装置。
【請求項５】
前記蓋が前記第１の位置から前記第２の位置に移動するとき、前記構成要素は前記部材を前記溝領域の周りで回動させ、それにより前記突起は前記溝領域から出ることが可能になる、請求項４に記載の容器装置。
【請求項６】
前記カバー部分が貫通穴を有し、前記蓋が前記第１の位置から前記第２の位置へ移動するとき、前記構成要素は、前記部材と係合するように移動するために、前記貫通穴を通って延びる、請求項１〜５のいずれか一項に記載の容器装置。
【請求項７】
前記構成要素が第１の部分と第２の部分とを備え、前記第１の部分は前記カバー部分に接続され、前記蓋が前記第１の位置にあるとき、前記第２の部分は前記ヒンジの近くに配置され、前記蓋が前記第１の位置にあるとき、前記第２の部分は前記ベースから離れる方に前記第１の部分から延びる、請求項１〜６のいずれか一項に記載の容器装置。
【請求項８】
前記ヒンジが前記部材の反対側に配置され、前記蓋が前記第１の位置から前記第２の位置へ移動するとき、前記構成要素の前記第２の部分は、前記突起を前記部材から分離するために、前記部材と係合するように移動する、請求項７に記載の容器装置。
【請求項９】
前記第１の部分がヒンジ、任意選択的にリビングヒンジによって、前記カバー部分に回動可能に接続される、請求項７又は８に記載の容器装置。
【請求項１０】
容器装置用のジッパー部材であって、前記容器装置は第１の端部及び第２の端部を有するバッグを備え、前記バッグは、前記第１の端部が前記第２の端部と相互に噛み合うことに対応する第１の位置と、前記第１の端部が前記第２の端部から離間されることに対応する第２の位置との間で移動するように構成され、前記ジッパー部材は、
前記第１の端部及び前記第２の端部に結合されるように構成された本体と、
前記本体から延びる一対の対向するアームであって、前記第１の端部及び前記第２の端部との分離に対応する第３の位置と、前記第１の端部及び前記第２の端部との係合に対応する第４の位置との間で移動するように構成される、一対の対向するアームと、
前記本体から延びるフードであって、前記一対の対向するアームとの分離に対応する第５の位置と、前記一対の対向するアームとの係合に対応する第６の位置との間を移動するように構成されたフードとを備え、
前記フードが前記第６の位置にあるとき、前記フードは、前記一対の対向するアームを前記第３の位置に維持するために、前記一対の対向するアームの間に延在する、
容器装置用のジッパー部材。
【請求項１１】
前記一対の対向するアームのそれぞれが溝領域を有し、前記フードは細長い部材と、前記細長い部材から外向きにそれぞれ延びる一対の突起とを備え、前記フードが前記第６の位置にあるとき、前記突起のそれぞれは前記一対の対向するアームの対応する溝領域内に配置される、請求項１０に記載のジッパー部材。
【請求項１２】
前記一対の対向するアームが前記第３の位置から前記第４の位置へ移動するとき、前記一対の対向するアームは互いに向かって移動する、請求項１０又は１１に記載のジッパー部材。
【請求項１３】
前記一対の対向するアームのそれぞれが、対応して内側に突出するプラウ部材を備え、前記一対の対向するアームのそれぞれが前記第３の位置から前記第４の位置へ移動するとき、前記プラウ部材は、前記バッグの前記第１の端部及び前記第２の端部の対応する一方と係合するように移動するように構成される、請求項１０〜１２のいずれか一項に記載のジッパー部材。
【請求項１４】
前記ジッパー部材が前記バッグの前記第１の端部及び前記第２の端部に結合される、請求項１０〜１３のいずれか一項に記載の前記バッグ及び前記ジッパー部材を備える容器装置。
【発明の詳細な説明】
【技術分野】
【０００１】
開示される概念は、例えば、医療用錠剤等を保管するために使用される容器装置などの容器装置に関する。開示された概念はまた、容器の開封方法に関する。
【背景技術】
【０００２】
子供が薬物及び他の潜在的に有害な製品に誤ってアクセスすることから保護する必要性に対する認識が高まっている。たった１、２錠の処方薬の服用が、子供にとって致命的であることが分かっている場合もある。大人、すなわち、特定の操作と手先の器用さを必要とする容器を開けるための指示を理解する認知能力を有する人によって容易に開けられる容器を提供する必要性の認識がさらに高まっている。そのような人は、内容物にアクセスするためにそのような容器を開ける行為は意図的な行為であり、そのような内容物へのアクセスを達成する必要がある場合にのみ行われることを理解する能力を有すると想定される。
【０００３】
市場には、いくつかの従来型のいわゆる「チャイルドプルーフ」又は「チャイルドレジスタント」容器があり、それらは処方箋に従って薬を調合する際に使用するために調剤薬剤師によって一般に使用され、ここで処方箋は薬剤師が複数の丸薬、錠剤、ゲルカプセル、カプセル等の１つ又は複数を調剤することを要求する。例えば、容器は、丸薬容器用の「プッシュアンドタム」式のクロージャ、又は丸薬容器用の「矢印整列」型のクロージャを含み得る。
【０００４】
容器用の「プッシュアンドタム」システムは、従来、容器用のクロージャ又はキャップを軸方向下向きに押し、同時に容器を開けるために回転しなければならないシステムを指す。容器用の「矢印整列」システムは、従来、容器を開けるために、クロージャ又はキャップの矢印を、容器にエンボス加工されたものなど、容器の矢印と整列しなければならないシステムを指す。しかしながら、これらの容器は、一部の大人、特に準最適の手先の器用さを持つ大人が使用するのに複雑又は困難な場合がある。
【０００５】
キャップ又はクロージャが容器と一体であるタイプの従来の容器装置は、キャップ及び容器を回動可能に固定するヒンジを含み得、場合によっては、キャップを開けることを補助するように構成された固定突出部（「サムタブ」とも呼ばれる）が、キャップに取り付けられている。この固定突出部は、通常、ヒンジの反対側にあり、したがって、意図されたユーザが固定突出部の下に十分な力を加えると容器を開けることを可能にするレバーとして機能する。このような容器はしばしば子供が簡単に開けることができる。
【発明の概要】
【課題を解決するための手段】
【０００６】
開示された概念の１つの任意選択の態様として、ベースとそこから延びる側壁とを有する本体を備える容器装置が提供される。本体は、少なくとも１つの製品を収容するように構成された製品空間を含む内部を画定する。本体は内部に通じる開口部をさらに有する。容器装置はさらに、ヒンジを介して側壁に取り付けられるように構成された蓋と、ヒンジに接続又は一体化されたトリガ部材とを含み、トリガ部材は、ヒンジの反対側に配置され、内部に対して外側にある遠位部分を有する。容器装置は、蓋が開口部を覆うことに対応する閉位置と、蓋が開口部を覆わない開位置との間を移動するように構成される。容器装置が閉位置から開位置に向かって移動するとき、遠位部分は最初に内部に向かって移動する。
【０００７】
開示された概念の別の任意選択の態様として、容器を開ける方法が提供され、方法は、本体及び蓋を備える容器を提供するステップであって、本体は、ベース及びそこから延びる側壁を有し、本体は、少なくとも１つの製品を収容するように構成された製品空間を含む内部を画定し、本体は内部に通じる開口部をさらに有し、蓋はヒンジを介して側壁に取り付けられるように構成されているステップと；頂部とそこから延びる複数のラッチ部材とを備える側壁を提供するステップと；本体部分とそこから延びる複数のラッチ部材とを備える蓋を提供するステップであって、蓋のラッチ部材のそれぞれは、側壁のラッチ部材の対応するものと相互に噛み合い、蓋の本体部分は、蓋のラッチ部材の対応するものにそれぞれ近接している複数の貫通穴を有するステップと；グリップ部分とそこから延びる複数の突起とを備えるツールを提供するステップと；蓋のラッチ部材を側壁のラッチ部材から解放するために、ツールの複数の突起のそれぞれを貫通穴の対応するものに挿入するステップと；容器を開けるために、ヒンジの周りでツールを回動するステップとを含む。
【０００８】
開示される概念の別の任意選択の態様として、ベース及びそこから延びる側壁を有する本体であって、少なくとも１つの製品を収容するように構成された製品空間を含む内部を画定し、内部に通じる開口部をさらに有する本体と；ヒンジを介して側壁に取り付けられるように構成された蓋であって、蓋が開口部を覆うことに対応する閉位置と、蓋が開口部を覆わない開位置との間で移動するように構成された蓋と；結合部分と、結合部分に接続された固定部分とを備える部材であって、結合部分は側壁に結合され、部材は、蓋を閉位置に維持するために固定部分が蓋と係合することに対応する第１の位置と、固定部分が蓋と係合しない第２の位置との間で移動するように構成された部材とを備える容器装置が提供される。部材が第１の位置から第２の位置に移動するとき、固定部分は、蓋が閉位置から開位置に移動することを可能にするために、側壁の頂部の周りで回転する。
【０００９】
開示される概念の別の任意選択の態様として、ベースと、ベースから延びる側壁と、部材とを有する本体であって、少なくとも１つの製品を収容するように構成された製品空間を備える内部を画定し、内部に通じる開口部をさらに有し、部材はベースの反対側に配置され、内部から離れる方に側壁から延びる本体と；ヒンジを介して側壁に取り付けられるように構成された蓋であって、開口部を覆うように構成されたカバー部分と、カバー部分から外向きに延びる突起と、カバー部分に接続された構成要素とを備え、カバー部分が開口部を覆うことに対応する第１の位置と、カバー部分が開口部を覆わない第２の位置との間で移動するように構成された蓋とを備える容器装置が提供される。蓋が第１の位置にあるとき、突起は、蓋を第１の位置に維持するために部材と係合する。蓋が第１の位置から第２の位置に移動するとき、構成部品は突起を部材から外すために部材と係合するように移動する。
【００１０】
開示される概念の別の任意選択の態様として、容器装置用のジッパー部材が提供される。容器装置は、第１の端部と第２の端部とを有するバッグを備え、バッグは、第１の端部が第２の端部と相互に噛み合うことに対応する第１の位置と、第１の端部が第２の端部から離間されることに対応する第２の位置との間で移動するように構成される。ジッパー部材は、第１の端部及び第２の端部に結合されるように構成された本体と；本体から延びる一対の対向するアームであって、第１の端部及び第２の端部との分離に対応する第３の位置と、第１の端部及び第２の端部との係合に対応する第４の位置との間で移動するように構成される、一対の対向するアームと；本体から延びるフードであって、一対の対向するアームとの分離に対応する第５の位置と、一対の対向するアームとの係合に対応する第６の位置との間を移動するように構成されたフードとを備える。フードが第６の位置にあるとき、フードは、一対の対向するアームを第３の位置に維持するために、一対の対向するアームの間に延在する。
【００１１】
本開示の概念の例示的な実施形態は、以下の同封された図面に示されている。
【図面の簡単な説明】
【００１２】
【図１−４】開示される概念の非限定的な一実施形態による、容器装置の異なる図である。
【図５−６】図１〜４の容器装置のためのトリガ部材のそれぞれ等角図及び上面図である。
【図７】開位置で示され、トリガ部材なしで示される、図１〜４の容器装置の断面図である。
【図８】トリガ装置が容器装置の本体に部分的に設置された状態で示されている、図１〜４の容器装置の側面図である。
【図９】図１の容器装置の断面図であり、図１の線Ａ−Ａに沿って取られ、トリガ部材のフック部分が蓋の溝領域内に延びている状態で示されている。
【図１０】図９の容器装置の一部の拡大図である。
【図１１】図９の容器装置の別の拡大図であり、フック部分が溝領域内に延びていない状態で示されている。
【図１２】図９の容器装置の別の拡大図であり、蓋が開位置にある状態で示されている。
【図１３】図１２の容器装置の等角図である。
【図１４】開示された概念の別の非限定的な実施形態による、別の容器装置のそれぞれ背面及び正面等角図である。
【図１５】開示された概念の別の非限定的な実施形態による、別の容器装置のそれぞれ背面及び正面等角図である。
【図１６】図１５の容器装置の一部の拡大図である。
【図１７】図１５の容器装置の一部の別の拡大図であり、蓋の細長い部材が容器装置の本体の内部に向かって移動された状態で示されている。
【図１８】図１４及び１５の容器装置の別の等角図であり、開位置で示されている。
【図１９】開示された概念の別の非限定的な実施形態による、別の容器装置の等角図である。
【図２０−２２】図１９の容器装置用の部材の異なる図である。
【図２３−２４】図１９の容器装置のそれぞれ等角図及び底面図であり、部材のない状態で示されている。
【図２５−２６】図１９の容器装置を組立て中の異なる段階で示す。
【図２７−２９】図１９の容器装置を開ける間に部材が異なる位置にある容器装置を示す。
【図３０】容器が閉じられ、ツールが容器に係合する前の容器及びツールの等角図を示す。
【図３１】図３０の容器及びツールの別の等角図を示し、ツールが部分的に容器に挿入されている。
【図３２】図３０の容器及びツールの別の等角図を示し、ツールが完全に容器に挿入されている。
【図３３】図３０の容器及びツールの別の等角図を示し、ツールが容器を開けている。
【図３４】開位置で示された図３０の容器を示す。
【図３５−３８】図３０のツールの異なる図を示す。
【図３９−４０】図３０の容器用の蓋の異なる図を示す。
【図４１】開示された概念の別の非限定的な実施形態による、別の容器装置の等角図である。
【図４２】図４１の容器装置の断面図であり、図４１の線Ｂ−Ｂに沿って取られている。
【図４３】図４１の容器装置の断面図であり、図４１の線Ｂ−Ｂに沿って取られている。
【図４４】図４３の断面図の拡大図である。
【図４５】図４２及び４３の容器装置の一部の断面図を示し、蓋の構成要素が本体の部材と係合している。
【図４６】図４２及び４３の容器装置の一部の別の断面図であり、蓋の突起が本体との係合から外れている。
【図４７−４９】開示される概念の別の非限定的な実施形態による、ジッパー部材が異なる位置で示されている、別の容器装置の一部の異なる図である。
【図５０−５３】図４７〜４９のジッパー部材の異なる図である。
【発明を実施するための形態】
【００１３】
本明細書で使用される場合、２つ以上の部品又は構成要素が互いに「係合する」という記述は、部品が直接或いは１つ又は複数の中間部品又は構成要素を介して相互に力を及ぼし合うことを意味する。本明細書で使用される場合、「数」という用語は、１又は１より大きい整数を意味するものとする。本明細書で使用される場合、２つ以上の部品が一緒に「結合」されるという記述は、それらの部品が直接接合されるか、又は１つ若しくは複数の中間部品を介して接合されることを意味する。
【００１４】
図１〜４は、開示された概念の非限定的な実施形態による、新規の容器装置２の異なる図を示す。容器装置２は、本体１０、蓋４０、及びトリガ部材６０（例えば、図５及び６も参照）を含む。図７に示されるように、本体１０は、ベース１２と、ベース１２から延びる側壁１４とを有する。蓋４０は、ヒンジ５０を介して側壁１４に取り付けられるように構成され、トリガ部材６０は、後述するようにヒンジ５０に接続される。本体１０は内部１６を画定し、内部１６に通じる開口部１８を有する。内部１６は、例えば、丸薬、錠剤、ゲルカプセル、カプセル等などの少なくとも１つの製品を収容するように構成された製品空間を含む。
【００１５】
引き続き図７を参照すると、側壁１４は、ベース１２の反対側及び遠位に位置する頂部２０と、頂部２０の近くに位置する環状の溝領域２２とを有する。さらに、本体１０は、ヒンジ５０の近くに位置し、側壁１４から外向きに延びる突起２４を有する。さらに、蓋４０は、ヒンジ５０に位置する第１の端部４４と、第１の端部４４の反対側及び遠位に位置する第２の端部４６とを有する本体部分４２を有する。示されるように、第２の端部４６は溝領域４７を有する。
【００１６】
図５及び６を参照すると、トリガ部材６０は、グリップ部分６２と、グリップ部分６２から延びるラッチ部分６４と、ラッチ部分６４から外向きに延び、グリップ部分６２の反対側に位置するフック部分６６とを有する。グリップ部分６２は第１の要素６８と、任意選択的に、第１の要素６８から延びる第２の要素７０とを含む。ラッチ部分６４は、リング状部分７２と、リング状部分７２から半径方向内向きに延びる多数の可撓性突起７３とを含む。リング状部分７２は、第１の端部７４と、第１の端部７４の反対側及び遠位に位置する第２の端部７６とを有する。フック部分６６は、第２の端部７６から延びる。第１の端部７４は、溝領域７８を有する。１つの例示的実施形態では、トリガ部材６０は、単一の材料片（例えば、限定されないが、射出成形片）から作られた一体構成要素である。
【００１７】
次に図８〜１３を参照して、容器装置２の組立て及び機能を詳細に記載する。図８に示されるように、側壁１４はリング状部分７２に対して内部に位置する。したがって、容器装置２を組み立てるために、側壁１４は最初にリング状部分７２に挿入されることが理解されるであろう。次に、突起７３（図５及び６）が溝領域２２に到達して係合するまで、リング状部分７２を側壁１４の頂部２０に向かって移動する。リング状部分７２が溝領域２２に到達すると、任意選択的に突起７３は溝領域２２と係合するようにスナップ嵌めする。したがって、突起７３（図５及び６）と溝領域２２との間の係合は、トリガ部材６０が本体１０に対して長手方向に動くことを有利に防止し、トリガ部材６０を本体１０上に維持する。このようにして、側壁１４はリング状部分７２に別々に結合される。リング状部分７２が溝領域２２内に配置されているとき、トリガ部材６０は、容器装置２を閉位置に維持するためのチャイルドレジスタント機構を提供し、また、容器装置２を開位置に移動できる高齢者に優しい機構を提供する。したがって、容器装置２は、蓋４０が開口部１８を覆うことに対応する閉位置と、蓋４０が開口部１８を覆わない開位置との間を移動するように構成される。
【００１８】
図９及び１０は、閉位置にある容器装置２の断面図を示す。示されるように、容器装置２が閉位置にあるとき、トリガ部材６０のフック部分６６は、容器装置２を閉位置に維持するために、蓋４０の溝領域４７内に延在して係合する。このようにして、容器装置２が閉位置にあるとき、フック部分６６及び溝領域４７は協働して蓋４０を閉じた状態に維持し、リング状部分７２が本体１０に対して回転することも防止する。したがって、子供が蓋４０を開けようとすると、フック部分６６が溝領域４７との係合を介して蓋４０が開くのを防止するだろう。さらに、第１の要素６８は、側壁１４の頂部２０から離れるように第１の端部７４から延び、第２の要素７０は、側壁１４の頂部２０に向かって第１の要素６８から延びる。示されるように、第２の要素７０は側壁１４と係合する。このようにして、第１及び第２の要素６８、７０は、第２の端部７６を側壁１４との係合に向けて付勢する（すなわち、したがって、フック部分６６を溝領域４７との係合に向けて付勢する）。
【００１９】
容器装置２が閉位置から開位置に向かって移動すると、トリガ部材６０の遠位部分７１は内部１６に向かって移動する。これは、例えば、ユーザがトリガ部材６０を絞ることに応答し得る。これが起こると、フック部分６６は、溝領域４７との係合から外れる。例えば、図１１を参照されたい。ここで、フック部分６６を溝領域４７との係合から外すためにトリガ部材６０が絞られる。したがって、蓋４０は開位置に移動することができる。例えば、図１２を参照されたい。ここで、フック部分６６が溝領域４７から外された後、蓋４０を容易に開けることができる。容器装置２が閉位置から開位置に移動すると、突起２４が溝領域７８内に延びてこれに係合するまで、溝領域７８（図９）は本体１０に向かって移動することが理解されるであろう。この位置で、突起２４と溝領域７８との間の係合は、本体１０に対するリング状部分７２の回転運動を防止するための機構を提供する。
【００２０】
したがって、容器装置２は、蓋４０の（例えば子供による）誤った開封の可能性を最小限に抑える新規の機構を提供するが、大人が容器装置２を開けることができる比較的単純な機構も提供する。より具体的には、蓋４０を開けることは一般に、２部構成の動きを必要とする。第１に、ユーザはトリガ部材６０を絞り、したがって、フック部分６６を溝領域４７から取り除かなければならない。第２に、ユーザは蓋４０を開けなければならない。
【００２１】
図１４〜１８は、開示される概念の別の非限定的な実施形態による、別の容器装置１０２の異なる図を示す。上述の容器装置２と同様に、容器装置１０２は、新規のチャイルドレジスタント型の高齢者に優しい開封機構を提供する。１つの例示的な実施形態では、容器装置１０２は、単一の材料片（例えば、これに限定されないが、射出成形片）から作られた単一構成要素である。
【００２２】
容器装置１０２は、本体１１０、蓋１４０、及びトリガ部材１６０を含む。本体１１０は、ベース１１２と、ベース１１２から延びる側壁１１４とを含む。図１８に示されるように、本体１１０は、少なくとも１つの製品（例えば、限定しないが、丸薬、錠剤、ゲルカプセル、カプセル等）を収容するために構成された製品空間を含む内部１１６を画定し、内部１１６に通じる開口部１１８を有する。蓋１４０はヒンジ１５０によって側壁１１４に取り付けられ、１つの例示的実施形態では、トリガ部材１６０はヒンジ１５０と一体である。トリガ部材１６０は、ヒンジ１５０の反対側に位置し且つ内部１１６に対して外側に位置する遠位部分１７１を有する（図１８）。蓋１４０は、第１の端部１４４及び第１の端部１４４の反対側に位置する第２の端部１４６を有する本体部分１４２と、第２の端部１４６から外向きに延びる細長い部材１４７とを有する。細長い部材１４７は、第２の端部１４６の反対側及び遠位に位置するラッチ１４８を含む。第１の端部１４４は、ヒンジ１５０に配置される。以下で考察されるように、細長い部材１４７は、容器装置２が図１４〜１６に示される閉位置から図１８に示される開位置に移動するときにトリガ部材１６０と協働するように構成される。
【００２３】
したがって、容器装置２は、蓋１４０が開口部１１８を覆うことに対応する閉位置（図１４〜１６）と、蓋１４０が開口部１１８を覆わない開位置（図１８）との間を移動するように構成される。これらの位置間を移動し、且つまた新規のチャイルドレジスタント型の高齢者に優しい開封機構を提供するために、本体は、側壁１１４の第１の頂部１２０から外側に延びるガード又は突起１２２をさらに有し、この突起は、蓋１４０の係合部材１４７と協働するように構成される。図１８に最も明瞭に示されるように、突起１２２はアパーチャ１２４を有する。さらに、突起１２２はヒンジ１５０の反対側及び遠位に位置する。さらに具体的には、側壁１１４は、第１の頂部１２０の反対側及び遠位に第２の頂部１２１を有し、第２の頂部１２１はヒンジ１５０に位置する。
【００２４】
容器装置１０２を閉位置から開位置に移動することは２つのステップを必要とし、２つのステップにより、蓋１４０が子供などによって誤って開けられる可能性が実質的に最小限に抑えられる。容器装置２が閉位置にあるとき、細長い部材１４７は突起１２２のアパーチャ１２４内に延び、ラッチ１４８は、容器装置１０２を閉位置に維持するために突起１２２と互いに噛み合う。容器装置１０２を開ける第１のステップは、ラッチ１４８を偏向させることを含む。例えば図１６と１７を比較すると、それぞれ、突起１２２と互いに噛み合うラッチ１４８、及び突起１２２から解放されたラッチ１４８が示されている。この位置の変更は、ユーザがラッチ１４８を側壁１１４に向かって押すことによって行うことができる。したがって、ラッチ１４８が側壁１１４に向かって押され、図１７に示される位置にあるとき、蓋１４０を開けることができる。これは、トリガ部材１６０を絞ることを含む第２の開封ステップによって達成することができる。したがって、容器装置１０２が閉位置から開位置に向かって移動するとき、遠位部分１７１は最初に内部１１６に向かって移動する（すなわち、このときトリガ部材１６０が絞られる）。換言すると、容器装置１０２が閉位置から開位置に移動するとき、細長い部材１４７は最初に内部１１６に向かって移動し、それによりトリガ部材１６０が蓋１４０を開けることが可能になる。これらの２つの開封ステップは、子供が考えるには困難であり得、大人は、それほど困難なく、容器装置１０２を容易に開けることができる。その結果、容器装置１０２は、容器装置２と同様に、容器装置１０２の内容物に潜在的にアクセスすることから子供を保護するという点で利点を提供し、大人が開けるための比較的単純な機構も提供する。
【００２５】
図１９は、開示される概念の別の非限定的な実施形態による、別の容器装置２０２の等角図を示す。容器装置２０２は、本体２１０、蓋２４０、及び部材２６０を含む。後述するように、本体２１０、蓋２４０、及び部材２６０の間の相互作用は、容器装置２０２が容易に開けられる（すなわち、子供によって）可能性を最小限に抑えるが、それでもなお大人がすぐに理解できる開封機構を提供する。
【００２６】
本体２１０は、ベース２１２と、ベース２１２から延びる側壁２１４とを含む。本体２１０はまた、内部２１６（図２９）を画定し、内部２１６に通じる開口部２１８（図２９）を有する。内部２１６は、少なくとも１つの製品（例えば、限定しないが、丸薬、錠剤、ゲルカプセル、カプセル）を収容するために構成された製品空間を含む。蓋２４０は、ヒンジ２５０によって側壁２１４に取り付けられるように構成され、蓋２４０が開口部２１８を覆うことに対応する閉位置（図１９、２３〜２８）と蓋２４０が開口部２１８を覆わない開位置（図２９）との間を移動するように構成される。
【００２７】
図２０〜２２は、部材２６０の異なる図を示す。部材２６０は、環状の結合部分２６２、固定部分２６４、及び結合部分２６２を固定部分２６４に接続する多数の接続要素２６６を含む。結合部分２６２は、リング状部分２６８と、リング状部分２６８から半径方向内側に延びる複数の突起２７０、２７２とを含む。固定部分２６４は、円筒形部分２７４と、円筒形部分２７４から延在し且つ円筒形部分２７４にほぼ垂直に位置するリップ２７６とを含む。図２０に最も明瞭に示されるように、リップ２７６は、第１の溝領域２７８と、第１の溝領域２７８の反対側及び遠位に位置する第２の溝領域２８０を有する。部材２６０の構造により、子供が蓋２４０を開ける可能性を最小限に抑えることが有利に可能になる。
【００２８】
次に、図２３及び２４を参照して、本体２１０及び蓋２４０の形状について詳しく考察する。示されるように、本体２１０はさらに、側壁２１４から外向きに内部２１６から離れる方に延びる複数の突起２２２、２２４を有する（図２９）。さらに、側壁２１４は、ベース２１２から蓋２４０に向かって延びる複数の細長い溝領域２２６、２２８を有する。蓋２４０は、カバー部分２４２と、カバー部分２４２から外向きに延在し、ヒンジ２５０の反対側及び遠位に位置するグリップ部分２４４とを含む。
【００２９】
容器装置２０２を組み立てるために、部材２６０の突起２７０、２７２は、図２５及び２６に示されるように、本体２１０の溝領域２２６、２２８と整列される。したがって、本体２１０は部材２６０に挿入され、側壁２１４は結合部分２６２に対して内部に位置し、部材２６０の突起２７０、２７２は対応する溝領域２２６、２２８内に位置し且つ係合し、側壁２１４に対する結合部分２６２の回転運動を防止する。さらに、部材２６０のリング状部分２６８と本体２１０の突起２２２、２２４との間の相互作用は、側壁２１４に対する結合部分２６２の長手方向の移動を有利に防止する。部材２６０が本体２１０に取り付けられるとき、固定部分２６４は、ベース２１２の近くから蓋２４０に向かって移動される。例えば、図２５及び２６における部材２６０の位置を比較されたい。開示される概念の１つの例示的実施形態では、部材２６０は、可撓性材料（例えば、限定されないが、熱可塑性材料）から作られる。
【００３０】
固定部分２６４が蓋２４０に向かって移動し続けると、リング状部分２６８が突起２２２、２２４と係合する。部材２６０は比較的可撓性であるので、容器装置２０２を組み立てる人は、突起２２２、２２４がリング状部分２６８とベース２１２との間に位置するように、本体２１０の突起２２２、２２４上にリング状部分２６８を容易に伸ばすことができる。このようにして、側壁２１４に対する結合部分２６２の長手方向の移動を防止するために、結合部分２６２は突起２２２、２２４のそれぞれと係合する。したがって、結合部分２６２は、側壁２１４に結合される。
【００３１】
次に、図２７〜２９を参照して、閉位置（図２７）から開位置（図２９）への蓋２４０の移動について詳述する。蓋２４０がそれぞれの位置間を移動することを可能にし、容器装置２０２が子供によってアクセスされる可能性を最小にするために、部材２６０は、蓋２４０を閉位置に維持するために固定部分２６４が蓋２４０に係合することに対応する第１の位置（図２７）と、固定部分２６４が蓋２４０と係合しない第２の位置（図２９）との間で移動するように構成される。具体的には、図２７に示されるように、部材２６０が第１の位置にあるとき、リップ２７６は、蓋２４０を閉位置に維持するために、グリップ部分２４４と係合する。図示されていないが、部材２６０がこの第１の位置にあるとき、ヒンジ２５０もリップ２７６と係合していることが理解されるであろう。その結果、リップ２７６は、蓋が開かれるのを防止する。しかしながら、部材２６０が第１の位置から第２の位置に向かって移動するとき、固定部分２６４は、蓋２４０が閉位置から開位置に移動できるようにするために、側壁２１４の頂部２２０（図２９）の周りを回転する。さらに、部材２６０の突起２７０、２７２と本体２１０の対応する溝領域２２６、２２８との間の係合のため、部材２６０が第１の位置から第２の位置に向かって移動するとき、結合部分２６２は側壁２１４に対して固定されたままである。
【００３２】
部材２６０が第１の位置から第２の位置に移動するとき、第１の溝領域２７８及び第２の溝領域２８０は、蓋２４０が閉位置から開位置へ移動することを可能にするために、グリップ部分２４４及びヒンジ２５０がそれぞれ第１及び第２の溝領域２７８、２８０内に嵌合するまで回転する。部材２６０の移動中、結合部分２６２は側壁２１４に対して固定されたままであるので、部材２６０が第１の位置から第２の位置に向かって移動するとき、固定部分２６４が結合部分２６２に向かって移動することが理解されよう。例えば、限定しないが、ユーザが固定部分２６４を回転させてヒンジ２５０及びグリップ部分２４４が溝領域２７８、２８０と整列された後、固定部分２６４はしたがって妨害されず、結合部分に向かって下方に移動して（すなわち、比較的可撓性のある接続要素２６６によって）、蓋２４０が開けられることを可能にすることができる。この開封機構は、大人が理解及び操作するのに有利に比較的単純であるが、幼い子供には複雑すぎるように構成されているため、容器装置２０２の内容物にアクセスしようとする可能性のある子供に対する保護の点でユーザに利益をもたらす。
【００３３】
図３０〜３３は、開示される概念の別の非限定的な実施形態による、容器３００及び容器３００を開けるために使用されるツール３６０の異なる図を示す。図３４は、開位置にある容器３００を示し、図３５〜３８は、ツール３６０の様々な図を示し、図３９及び４０は、容器３００用の蓋３４０の異なる図を示す。容器３００及びツール３６０は、容器３００の内容物にアクセスしたい大人に大きな負担をかけることなく子供を保護するための独特のチャイルドレジスタント型の高齢者に優しい開封機構を提供する。
【００３４】
図３４を参照すると、容器３００は、ベース３１２と、ベース３１２から延びる側壁３１４とを有する本体３１０をさらに含む。本体３１０は内部３１６を画定し、内部３１６に通じる開口部３１８を有する。内部３１６は、少なくとも１つの製品（例えば、限定されないが、丸薬、錠剤、ゲルカプセル、カプセル）を収容するように構成された製品空間を含む。蓋３４０は、ヒンジ３５０を介して側壁３１４に取り付けられるように構成される。
【００３５】
図３４を引き続き参照すると、側壁３１４は、頂部３２０と、頂部３２０から延びる複数のラッチ部材３２２、３２４、３２６とを含む。蓋３１０は、本体部分３４１と、その上に提供される複数のラッチ部材とを含む。１つのそのようなラッチ部材３４２は、図３４に示される図によって示される。しかしながら、この実施形態では、蓋が２つの他のラッチ部材をさらに含み、それぞれが本体３１０のラッチ部材３２４、３２６の対応する１つと相互に噛み合うように配置及び整列されることを理解されたい。さらに、図３９及び４０に示されるように、本体部分３４１は、複数の貫通穴３４５、３４６、３４７を有する。容器３００が閉位置（図３０）にあるとき、蓋のラッチ部材３４２は本体のラッチ部材３２２、３２４、３２６と相互に噛み合い、蓋３１０を閉位置に保持する。図３５〜３８を参照すると、ツール３６０は、グリップ部分３６２と、グリップ部分３６２から外向きに延びる複数の突起３６４、３６６、３６８とを含む。ツール３６０はまた、負荷に耐える（すなわち、容器３００の開封中の）ツール３６０の能力を高めるためのリブ部分３６３を含む。
【００３６】
次に、図３０〜３３を参照して、容器３００を開ける方法について詳述する。この方法は、本体３１０及び蓋３４０を備える容器３００を提供するステップと、頂部３２０及びそこから延在するラッチ部材３２２、３２４、３２６を備える側壁３１４を提供するステップと、本体部分３４１及びそこから延在するラッチ部材３４２を備える蓋３４０を提供するステップであって、蓋３４０のラッチ部材３４２のそれぞれは、側壁３１４のラッチ部材３２２、３２４、３２６の対応する１つと相互に噛み合うステップと、ツール３６０を提供するステップと、蓋３４０のラッチ部材３４２を側壁３１４のラッチ部材３２２、３２４、３２６から解放するために、ツール３６０の突起３６４、３６６、３６８のそれぞれを貫通穴３４５、３４６、３４７の対応する１つに挿入するステップと、容器３００を開けるためにヒンジ３５０の周りでツール３６０を回動するステップとを含む。
【００３７】
図３０及び３１に示されるように、開ける間、本体３１０のラッチ部材３２６を蓋３４０の対応するラッチ部材から解放するために、突起３６８が最初に貫通穴３４７に挿入される。次に、ラッチ部材３２２、３２４をラッチ部材３４２（すなわち、及び蓋３４０の他の対応する対向するラッチ部材）から解放するために、突起３６４、３６６が貫通穴３４５、３４６に挿入される。これは図３２及び３３に示されている。したがって、図３２に示されるように、突起３６４、３６６、３６８が貫通穴３４５、３４６、３４７に完全に挿入されると、ヒンジ３５０の周りでツール３６０を回動することによって蓋３４０は簡単に開けることができる。例えば、蓋３４０が開けられる前の図３２のツール３６０の位置と、蓋３４０が開き始めた後の図３３のツール３６０の位置とを比較されたい。この方法の挿入ステップは、側壁３１４の各ラッチ部材３２２、３２４、３２６を内側３１６に向かって内向きに偏向させるステップをさらに含み得る。挿入ステップは、突起３６８がベース３１２の平面３１３（図３０）に平行な方向に挿入されている間に突起３６４、３６６をベース３１２に向かう方向に挿入するステップをさらに含み得る。
【００３８】
したがって、容器３００及びツール３６０は、容器３００が幼い子供によって開けられる可能性を最小限に抑えるために独特のチャイルドレジスタント機構を提供するが、大人が容器３００を開けることができる比較的単純な機構を提供することが理解される。具体的には、ツール３６０なしでは、容器３００は開くことが比較的難しい。これは、大人がツール３６０を子供から単に隠すことができるという点で、子供による容器３００の内容物へのアクセスに対する第１の保護層を提供する。さらに、子供がツール３６０と容器３００の両方にアクセスできる場合でも、子供が突起３６４、３６６、３６８を貫通穴３４５、３４６、３４７に適切に位置合わせし、次にツール３６０をヒンジ３５０の周りで回動させることができる必要があるため、第２の保護層が提供される。しかしながら、子供にとっては困難であるが、大人が容器３００の内容物にアクセスすることは比較的簡単であり、本明細書で記載するように達成することができる。
【００３９】
図４１〜４６は、開示される概念の別の非限定的な実施形態による、別の容器装置４０２の異なる図を示す。容器装置４０２は、後述されるように、独特のチャイルドレジスタント型の高齢者に優しい開けるための機構を有する。
【００４０】
容器装置４０２は本体４１０及び蓋４４０を含み、１つの例示的実施形態では単一材料片から作られた単一要素である。本体４１０は、ベース４１２、ベース４１２から延びる側壁４１４、及び側壁４１４から外向きに延びる部材４３０を有する。図４２に示すように、本体４１０は内部４１６を画定し、内部４１６に通じる開口部４１８を有する。内部４１６は、少なくとも１つの製品（例えば、限定されないが、丸薬、錠剤、ゲルカプセル、カプセル）を収容するために構成された製品空間を含む。部材４３０は、ベース４１２の反対側に位置し、内部４１６から離れる方に側壁４１４から延びる。蓋４４０は、ヒンジ４５０を介して側壁４１４に取り付けられるように構成される。蓋４４０は、開口部４１８を覆うように構成されたカバー部分４４２と、カバー部分４４２から外側に延び且つカバー部分４４２に概ね垂直に位置する突起４４４と、カバー部分４４２に接続された構成要素４４６とを含む。カバー部分４４２は、貫通穴４４３を有する。構成要素４４６は、第１の部分４４８と、第１の部分４４８から外側に延在し且つ第１の部分４４８に対して概ね垂直に位置する第２の部分４４９とを含む。第１の部分４４８は、ヒンジ、例えばリビングヒンジ４４７によってカバー部分４４２に回動可能に接続される。蓋４４０は、カバー部分４４２が開口部４１８を覆うことに対応する第１の位置（図４１〜４４）と、カバー部分４４２が開口部４１８を覆わない第２の位置（図４６）と間を移動するように構成される。蓋４４０が第１の位置にあるとき、第２の部分４４９はヒンジ４５０の近くに位置し、ベース４１２から離れる方に第１の部分４４８から延びる。
【００４１】
図４３及び４４を参照すると、蓋４４０が第１の位置にあるとき、蓋４４０を第１の位置に維持するために、蓋４４０の突起４４４が本体４１０の部材４３０と係合する。より具体的には、図４４に示すように、本体４１０は、側壁４１４と部材４３０との間に溝領域４２１を有する。蓋４４０が第１の位置にあるとき、突起４４４は溝領域４２１内に延び、蓋４４０を第１の位置に維持するために部材４３０に係止する。例えば、図４４及び４５を比較されたい。蓋４４０が第１の位置（図４４）から第２の位置に向かって移動するとき、突起４４４を部材４３０から外すために構成要素４４６の第２の部分４４９が部材４３０と係合するように移動する。違う言い方をすると、蓋４４０が第１の位置から第２の位置に向かって移動するとき、構成要素４４６の第２の部分４４９は、部材４３０と係合するように移動するために、貫通穴４４３を通って延びる。これにより、部材４３０が溝領域４２１の周りを回動し、それにより、突起４４４が溝領域４２１の外に移動することが可能になる。したがって、突起４４４が第２の部分４４９によって溝領域４２１から外に移動されると、蓋４４０を容易に開けることができる。例えば、図４５及び４６における蓋４４０の位置を比較されたい。
【００４２】
したがって、容器装置４０２は、大人が開けるのが比較的簡単である一方で、子供が容器装置４０２の内容物にアクセスするのを防止するための別の新しい機構を提供することが理解されよう。具体的には、ユーザがヒンジ、例えばリビングヒンジ４４７の周りで構成要素４４６を回動し、第２の部分４４９を部材４３０に押し込まない限り、蓋４４０は一般に開けることができない。それというのも、溝領域４２１及び部材４３０の間の突起４４４との係合が蓋４４０を閉位置に維持するからである。しかしながら、大人は、上記のプロセスを介して蓋４４０を開ける方法を比較的容易に理解することができるであろう。したがって、子供が容器装置４０２内の潜在的に有害な内容物にアクセスすることを防止することに関する利点がこのようにして実現される。
【００４３】
図４７〜４９は、開示される概念の別の非限定的な実施形態による、別の容器装置５０２の異なる図を示す。容器装置５０２は、バッグ５１０及びジッパー部材５６０（図５０〜５３にも示される）を含む。バッグ５１０は、例えば、継ぎ目で接合される第１の端部５１２及び第２の端部５１４を有する（しかし継ぎ目のないバッグも開示された概念の範囲内にある）。第１の端部５１２と第２の端部５１４の間には、バッグ５１０の内部に通じる開口部がある。バッグ５１０は、第１の端部５１２が第２の端部５１４と相互に噛み合い開口部を閉鎖することに対応する第１の位置と、第１の端部５１２が第２の端部５１４から離間され、開口部を露出することに対応する第２の位置との間で移動するように構成される。例えば、図４８及び４９を参照する。ここでは、各図の上部において、端部５１２、５１４は、端部５１２、５１４が相互に噛み合っていることを表すために単一の構成要素として描かれており、各図の下部において、端部５１２、５１４は互いに離間している。バッグ５１０が第１の位置にあるとき、端部５１２、５１４は、例えば子供による開封に抵抗するために一緒に噛み合わされる。また、第１の位置では、バッグは任意選択的に概ね防湿のシールを提供する。バッグ５１０を第１の位置（図４８及び４９の上部）と第２の位置（図４８及び４９の下部）との間で移動させるために、ジッパー部材５６０が使用される。
【００４４】
ジッパー部材５６０は、本体５６２と、本体５６２から延びる一対の可撓性対向アーム５６４、５６６と、本体５６２から延びるフード５６８とを有する。本体５６２は、バッグ５１０の端部５１２、５１４に結合される。図４８及び４９を参照すると、アーム５６４、５６６は、端部５１２、５１４との分離に対応する第３の位置（図４８）と、係合端部５１２、５１４に対応する第４の位置（図４９）との間で移動するように構成される。アーム５６４、５６６は、第３の位置に向かって付勢され、一般に、例えば、ユーザによって一緒に絞られるなどの外力に応答して第４の位置に移動することが理解されよう。
【００４５】
図５０〜５３を参照すると、フード５６８は、アーム５６４、５６６との分離に対応する第５の位置（図５１及び５３）と、アーム５６４、５６６との係合に対応する第６の位置（図５０及び５２）との間を移動するように構成される。フード５６８が第６の位置（図５０及び５２）にあるとき、フード５６８は、アーム５６４、５６６を第３の位置に維持するために、アーム５６４、５６６の間に延びる。このようにして、ジッパー部材５６０は、新規のチャイルドレジスタント型の高齢者に優しいバッグ５１０を開けるための機構を提供し、バッグ５１０が第１の位置にあるときにバッグ５１０内の潜在的に有害な内容物から子供を保護することが有利に可能である。
【００４６】
より具体的には、アーム５６４、５６６のそれぞれは、対応する溝領域を有する（図５１には１つの溝領域５６７のみが示されているが、アーム５６４も溝領域５６７に対向する溝領域を有することが理解される）。フード５６８は、細長い部材５７０と、それぞれ細長い部材５７０から外向きに延びる一対の対向する突起５７２、５７４とを含む。さらに、図５３に最も明瞭に示されるように、アーム５６４、５６６のそれぞれは、対応して内向きに突出するプラウ部材５７６、５７８を有する。
【００４７】
フード５６８が第６の位置（図５０及び５２）にあるとき、突起５７２、５７４のそれぞれは、溝領域５６７の対応する一方（すなわち、及び図示されていないアーム５６４の他方の対向する溝領域）内に位置する。この位置では、フード５６８は、アーム５６４、５６６を一緒に絞ることができないため、アーム５６４、５６６が位置間を移動するのを防止するように構成されている。フード５６８が第５の位置にあるとき、アーム５６４、５６６、より具体的にはプラウ部材５７６、５７８は、バッグ５１０を第１の位置と第２の位置との間で移動させることが有利に可能である。したがって、アーム５６４、５６６が第３の位置から第４の位置に移動すると、アーム５６４、５６６は、ユーザによって絞られることに応答して、互いに向かって移動し、その結果、プラウ部材５７６、５７８はバッグ５１０の端部５１２、５１４と係合するように移動する。プラウ部材５７６、５７８が端部５１２、５１４と係合すると、プラウ部材５７６、５７８はバッグ５１０を開閉することができる。すなわち、フード５６８が第５の位置にあり、ユーザがアーム５６４、５６６を互いに向かって絞ると、ユーザはジッパー部材５６０を端部５１２、５１４に沿って横にスライドさせることによりバッグ５１０を開閉することができる。
【００４８】
突起５７２、５７４と溝領域５６７との間の係合は、突起５７２、５７４を溝領域５６７から外すための細長い部材５７０の上方への持ち上げ運動がないと、容易に克服することができない。この運動は子供には容易に明らかではなく、したがって、フード５６８が第６の位置に維持されることは理解されるであろう。その結果、子供はバッグ５１０の内容物にアクセスすることから保護される。しかしながら、大人は、フード５６８を開けること及びアーム５６４、５６６を絞ることを比較的容易に考えることができる。したがって、ジッパー部材５６０は、子供を保護し、大人がバッグ５１０の内容物に容易にアクセスすることを可能にする新規の機構を提供する。
【００４９】
本開示の概念を、指定された機能及びそれらの関係の実装を示す機能的な構築ブロックを用いて上に記載してきた。これらの機能的構築ブロックの境界は、記載の便宜上、本明細書では任意に定義されている。指定された機能とその関係が適切に実行される限り、代替の境界を定義することができる。
【００５０】
特定の実施形態の前述の記載は、開示された概念の一般的な性質を完全に明らかにするので、他の人は、当技術分野の技能内で知識を適用することにより、過度の実験なしに、本開示の概念の一般的な概念から逸脱することなく、そのような特定の実施形態を様々な用途向けに修正及び／又は適合させることができる。したがって、そのような適合及び修正は、本明細書に提示された教示及びガイダンスに基づいて、開示された実施形態の均等物の意味及び範囲内にあることが意図され、本明細書の語法又は用語は限定ではなく説明を目的とし、その結果、本明細書の用語又は語法は教示及びガイダンスに照らして当業者によって解釈されることが理解される。
【００５１】
本開示の概念の幅及び範囲は、上記の例示的な実施形態のいずれによっても限定されるべきではなく、以下の特許請求の範囲及びそれらの均等物に従ってのみ定義されるべきである。
【００５２】
例示的な実施形態の詳述
以下の例示的な実施形態は、本発明の任意選択の態様をさらに記載し、本明細書の一部である。これらの例示的な実施形態は、実質的に特許請求の範囲に類似した形式で記載されている（それぞれ数字による指定とそれに続く文字による指定を備える）が、それらは本出願の技術的な特許請求の範囲ではない。以下の例示的な実施形態は、従属関係において互いに「請求項」ではなく「実施形態」と呼ぶ。
【００５３】
１Ａ．容器装置であって：
ベースとそこから延びる側壁とを有する本体であって、少なくとも１つの製品を収容するように構成された製品空間を含む内部を画定し、内部に通じる開口部をさらに有する本体と；
ヒンジを介して側壁に取り付けられるように構成された蓋と；
ヒンジに接続された、又はヒンジと一体化されたトリガ部材であって、ヒンジに対して反対側に、及び内部に対して外部に配置された遠位部分を有するトリガ部材とを備え、
容器装置は、蓋が開口部を覆うことに対応する閉位置と、蓋が開口部を覆わない開位置との間を移動するように構成され、
容器装置が閉位置から開位置に向かって移動するとき、遠位部分は最初に内部に向かって移動する、容器装置。
【００５４】
２Ａ．蓋が、細長い部材と、第１の端部及び第１の端部の反対側及び遠位に配置された第２の端部を有する本体部分とを含み；第１の端部はヒンジに配置され；細長い部材は第２の端部から外向きに延び；細長い部材は、容器装置が閉位置から開位置に移動するときにトリガ部材と協働するように構成される、実施形態１Ａに記載の容器装置。
【００５５】
３Ａ．本体が、側壁の頂部から外向きに延びる突起をさらに有し；突起はアパーチャを有し；容器装置が閉位置にあるとき、細長い部材はアパーチャの中に延在し、容器装置を閉位置に維持するために、突起と相互に噛み合う、実施形態１Ａ又は２Ａ、任意選択的に実施形態２Ａに記載の容器装置。
【００５６】
４Ａ．容器装置が閉位置から開位置に移動するとき、細長い部材は最初に内部に向かって移動し、それによりトリガ部材は蓋を開けることが可能になる、実施形態１Ａ〜３Ａのいずれか、任意選択的に実施形態３Ａに記載の容器装置。
【００５７】
５Ａ．側壁は、頂部の反対側及び遠位に配置された第２の頂部を有し；第２の頂部はヒンジに配置される、実施形態１Ａ〜４Ａのいずれか、任意選択的に実施形態３Ａ又は４Ａに記載の容器装置。
【００５８】
６Ａ．トリガ部材がヒンジと一体であり；容器装置は、単一材料片から作られた単一の一体構成要素である、実施形態１Ａ〜５Ａのいずれかに記載の容器装置。
【００５９】
７Ａ．トリガ部材が、グリップ部分と、グリップ部分から延びるラッチ部分とを含み；グリップ部分は遠位部分を有し；側壁は、ラッチ部分に対して内部に配置され、ラッチ部分に別個に結合される、実施形態１Ａ〜６Ａのいずれか、任意選択的に実施形態１Ａに記載の容器装置。
【００６０】
８Ａ．トリガ部材は、ラッチ部分から外向きに延びるフック部分をさらに備え；蓋は、第１の端部と、第１の端部の反対側及び遠位に配置された第２の端部とを有する本体部分を備え；第１の端部はヒンジに配置され；蓋の第２の端部は溝領域を有し；容器装置が閉位置にあるとき、フック部分は、容器装置を閉位置に維持するために溝領域内に延びる、実施形態１Ａ〜７Ａのいずれか、任意選択的に実施形態７Ａに記載の容器装置。
【００６１】
９Ａ．ラッチ部分は、第１の端部と、ラッチ部分の第１の端部の反対側及び遠位に配置された第２の端部とを含み；グリップ部分は、第１の要素及び第２の要素を含み；第１の要素は、ラッチ部分の第１の端部から側壁の頂部から離れる方向に延び；第２の要素は、第１の要素から頂部に向かって延び；第２の要素は、ラッチ部分の第２の端部を側壁との係合に向けて付勢するために側壁と係合する、実施形態１Ａ〜８Ａのいずれか、任意選択的に実施形態７Ａ又は８Ａに記載の容器装置。
【００６２】
１０Ａ．側壁が環状の溝領域を有し；トリガ部材のラッチ部分は、環状の溝領域に配置される、実施形態１Ａ〜９Ａ、任意選択的に実施形態７Ａ〜９Ａのいずれかに記載の容器装置。
【００６３】
１１Ａ．ラッチ部分は、リング状部分と、そこから半径方向内側に延びる複数の突起とを備え；ラッチ部材の突起のそれぞれは、本体上にトリガ部材を維持するために溝領域に係合する、実施形態１Ａ〜１０Ａのいずれか、任意選択的に実施形態１０Ａに記載の容器装置。
【００６４】
１２Ａ．ラッチ部分は、溝領域を有するリング状部分を含み；本体はさらに、側壁から外向きに延びる突起を有し；突起はヒンジに近接して配置され；容器装置が閉位置から開位置に向かって移動するとき、突起が溝領域に内に延びて係合するまで、溝領域は本体に向かって移動し、それにより、本体に対するリング状部分の回転運動を防止する、実施形態１Ａ〜１１Ａ、任意選択的に実施形態７Ａ〜１１Ａのいずれかに記載の容器装置。
【００６５】
１Ｂ．容器を開ける方法であって：
本体及び蓋を備える容器を提供するステップであって、本体はベースと、そこから延びる側壁とを有し、本体は少なくとも１つの製品を収容するように構成された製品空間を含む内部を画定し、本体は内部に通じる開口部をさらに有し、蓋はヒンジを介して側壁に取り付けられるように構成されているステップと；
頂部とそこから延びる複数のラッチ部材とを備える側壁を提供するステップと；
本体部分とそこから延びる複数のラッチ部材を備える蓋を提供するステップであって、蓋のラッチ部材のそれぞれは、側壁のラッチ部材の対応するものと相互に噛み合い、蓋の本体部分は、蓋のラッチ部材の対応するものにそれぞれ近接している複数の貫通穴を有するステップと；
グリップ部分とそこから延びる複数の突起とを含むツールを提供するステップと；
蓋のラッチ部材を側壁のラッチ部材から解放するために、ツールの複数の突起のそれぞれを、貫通穴の対応するものに挿入するステップと；
容器を開けるために、ヒンジを中心にツールを回動するステップと
を含む方法。
【００６６】
２Ｂ．挿入ステップが、側壁のラッチ部材のそれぞれを内側に向かって内側に偏向させるステップをさらに含む、実施形態１Ｂに記載の方法。
【００６７】
３Ｂ．ベースが平面に配置され；複数の突起が、第１の突起、第２の突起、及び第３の突起を含み、挿入ステップはさらに：
第１の突起及び第２の突起をベースに向かう方向に挿入するステップであって、第３の突起はベースの平面に平行な方向に挿入されるステップ、
を含む、実施形態１Ｂ又は２Ｂに記載の方法。
【００６８】
４Ｂ．グリップ部分がリブ付き部分を含む、実施形態１Ｂ〜３Ｂのいずれかに記載の方法。
【００６９】
１Ｃ．容器装置であって：
ベースとそこから延びる側壁とを有する本体であって、少なくとも１つの製品を収容するように構成された製品空間を含む内部を画定し、内部に通じる開口部をさらに有する本体と；
ヒンジを介して側壁に取り付けられるように構成された蓋であって、蓋が開口部を覆うことに対応する閉位置と、蓋が開口部を覆わない開位置との間で移動するように構成された蓋と；
結合部分と結合部分に接続された固定部分とを備える部材であって、結合部分は側壁に結合され、部材は、蓋を閉位置に維持するために固定部分が蓋に係合することに対応する第１の位置と、固定部分が蓋と係合しない第２の位置との間で移動するように構成される部材とを備え、
部材が第１の位置から第２の位置に向かって移動するとき、固定部分は、蓋が閉位置から開位置に移動することを可能にするために、側壁の頂部の周りを回転する、容器装置。
【００７０】
２Ｃ．部材が、結合部分を固定部分に接続する複数の接続要素をさらに備える、実施形態１Ｃに記載の容器装置。
【００７１】
３Ｃ．部材が第１の位置から第２の位置に向かって移動するとき、結合部分は側壁に対して固定されたままである、実施形態１Ｃ又は２Ｃに記載の容器装置。
【００７２】
４Ｃ．結合部分が環状であり；側壁は、結合部分に対して内部に配置される、実施形態１Ｃ〜３Ｃのいずれかに記載の容器装置。
【００７３】
５Ｃ．本体が、内部から離れる方に側壁から延びる複数の突起をさらに含み；側壁に対する結合部の長手方向の移動を防止するために、結合部は突起のそれぞれと係合する、実施形態１Ｃ〜４Ｃのいずれかに記載の容器装置。
【００７４】
６Ｃ．側壁が、ベースから蓋に向かって延びる複数の細長い溝領域を有し；結合部分は、リング状部分と、そこから内向きに延びる複数の突起とを含み；側壁に対する結合部分の回転運動を防止するために、結合部分の突起のそれぞれは、側壁の溝領域の対応するものに配置される、実施形態１Ｃ〜５Ｃのいずれかに記載の容器装置。
【００７５】
７Ｃ．固定部分が、円筒形部分と、円筒形部分から内向きに延びる少なくとも１つのリップとを含み；部材が第１の位置にあるとき、少なくとも１つのリップは、蓋を閉位置に維持するために蓋と係合する、実施形態１Ｃ〜６Ｃのいずれかに記載の容器装置。
【００７６】
８Ｃ．蓋が、カバー部分と、カバー部分から外向きに延びるグリップ部分とを含み；少なくとも１つのリップは、第１の溝領域及び第２の溝領域を有し；部材が第１の位置から第２の位置に移動するとき、第１の溝領域及び第２の溝領域は、グリップ部分及びヒンジがそれぞれ第１の溝領域及び第２の溝領域内に収まるまで回転し、蓋が閉位置から開位置に向かって移動することを可能にする、実施形態１Ｃ〜７Ｃのいずれか、任意選択的に実施形態７Ｃに記載の容器装置。
【００７７】
９Ｃ．部材が第１の位置から第２の位置に向かって移動するとき、固定部分が結合部分に向かって移動する、実施形態１Ｃ〜８Ｃのいずれかに記載の容器装置。
【００７８】
１Ｄ．容器装置であって：
ベースと、ベースから延びる側壁と、部材とを有する本体であって、少なくとも１つの製品を収容するように構成された製品空間を含む内部を画定し、内部に通じる開口部をさらに有し、部材はベースの反対側に配置され且つ内部から離れる方に側壁から延びる、本体と；
ヒンジを介して側壁に取り付けられるように構成された蓋であって、開口部を覆うように構成されたカバー部分と、カバー部分から外向きに延びる突起と、カバー部分に接続された構成要素とを備え、カバー部分が開口部を覆うことに対応する第１の位置と、カバー部分が開口部を覆わない第２の位置との間で移動するように構成される蓋とを備え、
蓋が第１の位置にあるとき、突起は、蓋を第１の位置に維持するために部材と係合し、
蓋が第１の位置から第２の位置に移動するとき、構成要素は、突起を部材から外すために部材と係合するように移動する、容器装置。
【００７９】
２Ｄ．蓋が、ヒンジと、任意選択的に、構成要素をカバー部分に接続するためのリビングヒンジとをさらに含む、実施形態１Ｄに記載の容器装置。
【００８０】
３Ｄ．容器装置は単一材料片から作られた一体要素である、実施形態１Ｄ又は２Ｄに記載の容器装置。
【００８１】
４Ｄ．本体が、側壁及び部材から延びる溝領域を有し；蓋が第１の位置にあるとき、突起は溝領域内に延びる、実施形態１Ｄ〜３Ｄのいずれかに記載の容器装置。
【００８２】
５Ｄ．蓋が第１の位置から第２の位置に向かって移動するとき、構成要素が部材を溝領域の周りで回動させ、それにより突起が溝領域の外に出ることを可能にする、実施形態１Ｄ〜４Ｄのいずれか、任意選択的に実施形態４Ｄに記載の容器装置。
【００８３】
６Ｄ．カバー部分が貫通穴を有し；蓋が第１の位置から第２の位置に移動するとき、構成要素は、部材と係合するように移動するために、貫通穴を通って延びる、実施形態１Ｄ〜５Ｄのいずれかに記載の容器装置。
【００８４】
７Ｄ．構成要素が第１の部分及び第２の部分を備え；第１の部分はカバー部分に接続され；蓋が第１の位置にあるとき、第２の部分はヒンジに近接して配置され；蓋が第１の位置にあるとき、第２の部分は、ベースから離れる方に第１の部分から延びる、実施形態１Ｄ〜６Ｄのいずれかに記載の容器装置。
【００８５】
８Ｄ．ヒンジが部材の反対側に配置され；蓋が第１の位置から第２の位置に移動するとき、構成要素の第２の部分が、突起を部材から外すために、部材と係合するように移動する、実施形態１Ｄ〜７Ｄのいずれか、任意選択的に実施形態７Ｄに記載の容器装置。
【００８６】
９Ｄ．第１の部分が、ヒンジ、任意選択的にリビングヒンジによってカバー部分に回動可能に接続される、実施形態１Ｄ〜８Ｄのいずれか、任意選択的に実施形態７Ｄ又は８Ｄに記載の容器装置。
【００８７】
１Ｅ．容器装置用のジッパー部材であって、容器装置は、第１の端部と第２の端部とを有するバッグを備え、バッグは、第１の端部が第２の端部と相互に噛み合うことに対応する第１の位置と、第１の端部が第２の端部から離間されることに対応する第２の位置との間で移動するように構成され、ジッパー部材は、
第１の端部及び第２の端部に結合されるように構成された本体と；
本体から延びる一対の対向するアームであって、第１の端部及び第２の端部との分離に対応する第３の位置と、第１の端部及び第２の端部との係合に対応する第４の位置との間で移動するように構成される、一対の対向するアームと；
本体から延びるフードであって、一対の対向するアームとの分離に対応する第５の位置と、一対の対向するアームとの係合に対応する第６の位置との間を移動するように構成されたフードとを備え、
フードが第６の位置にあるとき、フードは、一対の対向するアームを第３の位置に維持するために、一対の対向するアームの間に延在する、ジッパー部材。
【００８８】
２Ｅ．一対の対向するアームのそれぞれが溝領域を有し；フードは、細長い部材と、細長い部材から外側にそれぞれ延びる一対の突起とを備え；フードが第６の位置にあるとき、突起のそれぞれは、一対の対向するアームの対応する溝領域に配置される、実施形態１Ｅに記載のジッパー部材。
【００８９】
３Ｅ．一対の対向するアームが第３の位置から第４の位置に向かって移動するとき、一対の対向するアームが互いに向かって移動する、実施形態１Ｅ又は２Ｅに記載のジッパー部材。
【００９０】
４Ｅ．一対の対向するアームのそれぞれが、対応して内向きに突出するプラウ部材を含み；一対の対向するアームのそれぞれが第３の位置から第４の位置に移動するとき、プラウ部材は、バッグの第１の端部及び第２の端部の対応する１つと係合するように移動するように構成される、実施形態１Ｅ〜３Ｅに記載のジッパー部材。
【００９１】
本発明を詳細に及びその特定の例を参照して記載してきたが、その趣旨及び範囲から逸脱することなく様々な変更及び修正を本発明において加えることができることが当業者には明らかであろう。
【図１】
2021502312.tif 000003
【図２】
2021502312.tif 000004
【図３】
2021502312.tif 000005
【図４】
2021502312.tif 000006
【図５】
2021502312.tif 000007
【図６】
2021502312.tif 000008
【図７】
2021502312.tif 000009
【図８】
2021502312.tif 000010
【図９】
2021502312.tif 000011
【図１０】
2021502312.tif 000012
【図１１】
2021502312.tif 000013
【図１２】
2021502312.tif 000014
【図１３】
2021502312.tif 000015
【図１４】
2021502312.tif 000016
【図１５】
2021502312.tif 000017
【図１６】
2021502312.tif 000018
【図１７】
2021502312.tif 000019
【図１８】
2021502312.tif 000020
【図１９】
2021502312.tif 000021
【図２０】
2021502312.tif 000022
【図２１】
2021502312.tif 000023
【図２２】
2021502312.tif 000024
【図２３】
2021502312.tif 000025
【図２４】
2021502312.tif 000026
【図２５】
2021502312.tif 000027
【図２６】
2021502312.tif 000028
【図２７】
2021502312.tif 000029
【図２８】
2021502312.tif 000030
【図２９】
2021502312.tif 000031
【図３０】
2021502312.tif 000032
【図３１】
2021502312.tif 000033
【図３２】
2021502312.tif 000034
【図３３】
2021502312.tif 000035
【図３４】
2021502312.tif 000036
【図３５】
2021502312.tif 000037
【図３６】
2021502312.tif 000038
【図３７】
2021502312.tif 000039
【図３８】
2021502312.tif 000040
【図３９】
2021502312.tif 000041
【図４０】
2021502312.tif 000042
【図４１】
2021502312.tif 000043
【図４２】
2021502312.tif 000044
【図４３】
2021502312.tif 000045
【図４４】
2021502312.tif 000046
【図４５】
2021502312.tif 000047
【図４６】
2021502312.tif 000048
【図４７】
2021502312.tif 000049
【図４８】
2021502312.tif 000050
【図４９】
2021502312.tif 000051
【図５０】
2021502312.tif 000052
【図５１】
2021502312.tif 000053
【図５２】
2021502312.tif 000054
【図５３】
2021502312.tif 000055
【国際調査報告】
2021502312.tif 000056
2021502312.tif 000057
2021502312.tif 000058
2021502312.tif 000059
2021502312.tif 000060
2021502312.tif 000061